(57)【要約】【課題】多くの場合、ＤＶＤプレーヤーで再生されたタイトルメニューは、カムコーダ等に具備されるモニタよりも大きなサイズのテレビに表示される。そのため、カムコーダ等のモニタに最適化した機器メニュー構成が、大画面テレビで表示するタイトルメニューの構成として必ずしも最適では無い。【解決手段】光ディスク１００に記録されたファイルの代表画像を一覧表示するためのメニュー画面として、機器メニューとタイトルメニューをそれぞれ独自に最適設定する。第１のメニュー画面生成手段１０６では、機器に具備された表示手段１０５用のメニュー画面を生成する。メニュー画面生成手段１０８では、再生装置で再生した際の表示用のメニュー画面を生成し、光ディスク１００に記録する。【選択図】図１
2007265558.tif 000002
【特許請求の範囲】
【請求項１】
映像もしくは音声を含むデータストリームが記録された記録媒体に対し、前記データストリームに対応する代表画像を並べて配置したメニュー画面を少なくとも２種類作成するデータ記録装置であって、
代表画像を第１の構成で配置した第１のメニュー画面を機器に具備された表示手段に表示し、
代表画像を前記第１の構成と異なる構成の第２のメニュー画面を表示するためのプログラムとして前記記録媒体に記録することを特徴とするデータ記録再生装置。
【請求項２】
映像もしくは音声を含むデータストリームが記録された記録媒体に対し、前記データストリームに対応する代表画像を並べて配置したメニュー画面を少なくとも２種類作成するデータ記録装置であって、
代表画像を第１の構成で配置した第１のメニュー画面を機器に具備された表示手段に表示し、
代表画像を前記第１の構成とは異なる構成の第２の構成で配置した第２のメニュー画面を機器に装着された前記記録媒体に記録することを特徴とするデータ記録再生装置。
【請求項３】
前記第１のメニュー画面は一度に表示する画面領域内にｎ個（ｎ＞１）の代表画像の表示エリアを有し、前記第２のメニュー画面は一度に表示する画面領域内にｍ個（ｍ＞１）の代表画像の表示エリアを有し、ｍ＞ｎであることを特徴とする請求項１または２記載のデータ記録再生装置。
【請求項４】
ｎ個および／またはｍ個の代表画像数がユーザーの選択により変更可能なことを特徴とする請求項３記載のデータ記録再生装置。
【請求項５】
ｎ個またはｍ個のどちらか一方の代表画像数がユーザーの選択により変更されると、それに連動してもう一方の代表画像数も変更されることを特徴とする請求項４記載のデータ記録再生装置。
【請求項６】
映像もしくは音声を含むデータストリームが記録された記録媒体に対し、前記データストリームに対応する代表画像を並べて配置したメニュー画面を作成するデータ記録方法であって、
代表画像を第１の構成で配置した第１のメニュー画面を機器に具備された表示手段に表示し、
代表画像を前記第１の構成とは異なる構成の第２のメニュー画面を表示するためのプログラムとして前記記録媒体に記録することを特徴とするデータ記録再生方法。
【請求項７】
映像もしくは音声を含むデータストリームが記録された記録媒体に対し、前記データストリームに対応する代表画像を並べて配置したメニュー画面を少なくとも２種類作成するデータ記録方法であって、
代表画像を第１の構成で配置した第１のメニュー画面を機器に具備された表示手段に表示し、
代表画像を前記第１の構成とは異なる構成の第２の構成で配置した第２のメニュー画面を機器に装着された前記記録媒体に記録することを特徴とするデータ記録再生方法。
【請求項８】
前記第１のメニュー画面は一度に表示する画面領域内にｎ個（ｎ＞１）の代表画像の表示エリアを有し、前記第２のメニュー画面は一度に表示する画面領域内にｍ個（ｍ＞１）の代表画像の表示エリアを有し、ｍ＞ｎであることを特徴とする請求項６または７記載のデータ記録再生方法。
【請求項９】
ｎ個および／またはｍ個の代表画像数がユーザーの選択により変更可能なことを特徴とする請求項８記載のデータ記録再生方法。
【請求項１０】
ｎ個またはｍ個のどちらか一方の代表画像数がユーザーの選択により変更されると、それに連動してもう一方の代表画像数も変更されることを特徴とする請求項９記載のデータ記録再生方法。
【発明の詳細な説明】
【技術分野】
【０００１】
本発明は、記録媒体に記録されたファイルの代表画像を一覧表示するためのメニュー画面として、機器に具備された表示手段用のメニュー画面と、再生装置で再生した際の表示用のメニュー画面として記録媒体に記録するメニュー画面をそれぞれ最適に設定可能なデータ記録再生装置および方法に関する。
【背景技術】
【０００２】
近年、ＤＶＤ（デジタルバーサタイルディスク）等の光ディスク、ハードディスク等の磁気ディスク、半導体メモリ等のメディアにコンテンツのデジタルデータを書き込み、保存できるデジタル機器（光ディスクレコーダ、カムコーダ等）の普及が進んでいる。このようなコンテンツは、例えば、放送された番組やカムコーダ等によって撮影された映像および音声である。
【０００３】
光ディスクのうち、例えばＤＶＤ−Ｒメディア、もしくはＤＶＤ−ＲＷを使用する場合は、最後にファイナライズ処理を実施すればＤＶＤ−Ｖｉｄｅｏフォーマットのディスクとして完成するまでに、コンテンツを記録、もしくは追記して行く。そしてファイナライズ処理を実施する際に、ＤＶＤ−Ｖｉｄｅｏフォーマットのタイトルメニューを追記する。このタイトルメニューの書込みにより、全てのＤＶＤプレーヤーで、ＤＶＤ−Ｒがきれいなタイトルメニュー付きで再生できる様になる。なお、ファイナライズ処理としては、タイトルメニュー作成処理の他に、ファイルシステムのファイル管理データの書き込み処理や、１Ｇバイト以上のデータでディスクを埋める処理も含まれる。
【０００４】
特許文献１には、ＤＶＤレコーダでタイトルメニュー（同文献ではＤＶＤメニューと記載されている）付きのＤＶＤ−Ｒが作成される例が記載されている。
【０００５】
一方でカムコーダでは、撮影後のファイナライズ前であっても撮影済みのコンテンツの内容を確認するために再生する必要がある。その場合はタイトルメニューがない状態でもコンテンツ一覧をユーザーに提示するためにディスクの内容を解析して独自の機器表示メニュー（以下、機器メニューと記載する）を作成する必要がある。
【０００６】
機器メニューについて図７を使用して説明する。図７において、７０１はモニタを具備するカムコーダ、７０２はモニタ、７０３はモニタに表示される機器メニューの一例である。機器メニュー７０３は再生するコンテンツをユーザーが選択しやすいように、コンテンツに対応する代表画像を一覧表示している。この例では、４つの代表画像を一覧表示している。もし記録媒体に９個のコンテンツが記録されている場合は、このような一覧表示画面が３面準備され、ユーザーは画面上の代表画像を参照しながら”前へ”ボタン７０６と”次へ”ボタン７０７を使って所望の代表画像を含む一覧表示を選択し、さらにその中から所望の代表画像を選択することによって、コンテンツを再生することになる。
【０００７】
記録媒体に格納されるコンテンツ数が増えれば増えるほど、一覧表示画面の数も増えることになるため、ユーザーが所望のコンテンツの代表画像にたどり着くまでにたくさんの一覧表示を選択／確認しなくてはならない。
【０００８】
検索性を向上しようとすれば、一度に表示する代表画像の数を多くすればよいが、カムコーダ７０１の形状の制約（小型軽量）から具備されるモニタ７０２も比較的小さなサイズの場合が多いため、一度に表示できる代表画像の数も制約される。
【０００９】
次に、タイトルメニューについて図７を使用して説明する。図７において７０４はカムコーダ７０１によってデータストリームを記録後にファイナライズしたＤＶＤディスクであり、７０５に示すようなタイトルメニューが記録されている。従来の装置では、機器メニュー７０３とタイトルメニュー７０５は同様の構成であり、小型のモニタ７０２で見るのに最適な画面構成をそのままタイトルメニューに採用していた。
【特許文献１】特開２００５−１０９５８５号公報
【発明の開示】
【発明が解決しようとする課題】
【００１０】
タイトルメニューは多くの場合ＤＶＤプレーヤーで再生されてカムコーダ等に具備されるモニタよりも大きなサイズの大画面テレビに表示される。そのため、カムコーダ等に具備されるモニタに最適化した機器メニュー構成が、大画面テレビで表示するタイトルメニューの構成として必ずしも最適では無い。
【００１１】
本発明の目的は、機器メニューとタイトルメニューそれぞれに最適な画面構成のメニューを作成可能なデータ記録再生装置および方法を提供することにある。
【課題を解決するための手段】
【００１２】
上記目的を達成するため、本発明に関わる第１のＡＶデータ記録再生装置は、映像もしくは音声を含むデータストリームが記録された記録媒体に対し、前記データストリームに対応する代表画像を並べて配置したメニュー画面を少なくとも２種類作成するデータ記録装置であって、代表画像を第１の構成で配置した第１のメニュー画面を機器に具備された表示手段に表示し、代表画像を第１の構成とは異なる構成の第２のメニュー画面を表示するためのプログラムとして記録媒体に記録することを特徴とする。
【００１３】
また、本発明に関わる第２のＡＶデータ記録再生装置は、映像もしくは音声を含むデータストリームが記録された記録媒体に対し、前記データストリームに対応する代表画像を並べて配置したメニュー画面を少なくとも２種類作成するデータ記録装置であって、代表画像を第１の構成で配置した第１のメニュー画面を機器に具備された表示手段に表示し、代表画像を第１の構成とは異なる構成の第２の構成で配置した第２のメニュー画面を機器に装着された記録媒体に記録することを特徴とする。
【００１４】
第１の本発明および第２の本発明のＡＶデータ記録再生装置によれば、機器に具備された表示手段の表示に最適化した第１のメニュー画面と、記録媒体に記録するタイトルメニューの構成として最適化した第２のメニュー画面とを作成することが可能である。
【００１５】
また、本発明に関わる第３のＡＶデータ記録再生装置は、第１および第２の本発明のデータ記録再生装置において、第１のメニュー画面は一度に表示する画面領域内にｎ個（ｎ＞１）の代表画像の表示エリアを有し、前記第２のメニュー画面は一度に表示する画面領域内にｍ個（ｍ＞１）の代表画像の表示エリアを有し、ｍ＞ｎであることを特徴とする。この、第３の本発明のＡＶデータ記録再生装置によれば、機器に具備された表示手段の表示に最適化した第１のメニュー画面に対し、第２のメニュー画面として一度により多くの代表画像を配置したタイトルメニューを作成することが可能である。一度に多くの代表画像を表示することにより、記録媒体に多くのデータストリームが記録されている際の検索性が向上する。
【００１６】
また、本発明に関わる第４のＡＶデータ記録再生装置は、第３の本発明の本発明のデータ記録再生装置において、ｎ個および／またはｍ個の代表画像数がユーザーの選択により変更可能なことを特徴とする。この第４の本発明のＡＶデータ記録再生装置によれば、第１の表示メニューおよび／または第２の表示メニューに表示される代表画像の数をユーザーの好みに応じて変更することが可能である。
【００１７】
また、本発明に関わる第５のＡＶデータ記録再生装置は、第４の本発明の本発明のデータ記録再生装置において、ｎ個またはｍ個のどちらか一方の代表画像数がユーザーの選択により変更されると、それに連動してもう一方の代表画像数も変更されることを特徴とする。この第５の本発明のＡＶデータ記録再生装置によれば、一方の代表画像数の設定変更が自動的に他方の変更にも反映されるため、個別に変更する手間を省くことができる。
【発明の効果】
【００１８】
本発明によれば、機器に具備された表示手段の表示性能に最適化した第１のメニュー画面と、記録媒体に記録するタイトルメニューの構成として最適化した第２のメニュー画面を作成することが可能である。
【００１９】
また、本発明によれば、機器に具備された表示手段の表示性能に最適化した第１のメニュー画面に対し、第２のメニュー画面として一度により多くの代表画像を配置したタイトルメニューを作成することが可能である。一度に多くの代表画像を表示することにより、記録媒体に多くのデータストリームが記録されている際の検索性が向上する。
【００２０】
また、本発明によれば、第１の表示メニューおよび／または第２の表示メニューに表示される代表画像の数をユーザーの好みに応じて変更することが可能である。
【００２１】
また、本発明によれば、一方の代表画像数の設定変更が自動的に他方の変更にも反映されるため、個別に変更する手間を省くことができる。
【発明を実施するための最良の形態】
【００２２】
以下、本発明の実施の形態について図面を参照しながら説明する。
【００２３】
（実施の形態１）
図１は、第１の本発明の実施の形態にかかるデータ記録再生装置の構成を示すブロック図である。
【００２４】
図１において、１０１がデータ記録再生装置である。ここでは、一例として記録媒体を光ディスク１００とするカムコーダを想定する。
【００２５】
まず、図１のデータ記録再生装置１０１の記録時の動作を説明する。
【００２６】
データ記録再生装置１０１に対してユーザーが記録指示を行うと、撮像手段１０２により取り込まれた画像データはデータ処理手段１０３により符号化されて記録再生処理手段１０４により光ディスク１００に記録される。記録動作においては、表示手段１０５において記録画像をモニタすることができる。
【００２７】
図２はデータ記録再生装置１０１によって光ディスク１００に記録されたデータ構造の一例を示しており、この例ではルートディレクトリ（ｒｏｏｔ）の下のビデオディレクトリ（ｖｉｄｅｏ）の下に９個の動画ファイル（ＡＢＣＤ００１．ｍｐｇ〜ＡＢＣＤ００９．ｍｐｇ）２０１〜２０９が記録されている。さらにサムネイルディレクトリ（ｔｈｕｍｂ）の下にそれぞれの動画ファイルに対応する代表画像である静止画ファイル（ＡＢＣＤ００１．ｊｐｇ〜ＡＢＣＤ００９．ｊｐｇ）２１１〜２１９が記録されている。この例では、ファイル名がａｂｃｄ００１．ｍｐｇの動画ファイル２０１に対応するのはファイル名がａｂｃｄ００１．ｊｐｇの静止画ファイル２１１というように、拡張子の前のファイル名が同一のファイルが動画ファイルとそれに対応する代表画像ファイルであることを示す。
【００２８】
次に、データ記録再生装置１０１に図２の記録状態の光ディスク１００が装着された状態で、機器メニュー表示をするときの動作を説明する。
【００２９】
図１に示すデータ構造判別手段１０７は記録再生処理手段１０４を介して光ディスク１００から必要な情報を読みだし、光ディスク１００上に記録されているデータの構造を解析する。第１のメニュー画面生成手段１０６はデータ構造判別手段１０７の解析結果に基づいて機器メニューとして表示すべき代表画像の数を判別すると共に、機器メニューの表示のために必要な代表画像ファイルを光ディスク１００から読み出して機器メニューを作成し、表示手段１０５に表示する。
【００３０】
第１のメニュー生成手段１０６によって生成されて表示手段１０５に表示されたメニュー画面の一例を、図３を使用して説明する。
【００３１】
図３において、３１６はデータ記録再生装置１０１の外観の一例、３１７は表示手段１０５の外観の一例を示している。破線で囲まれた中の３１３〜３１５は第１のメニュー画像生成手段１０６によって生成されて表示手段１０５に表示されたメニュー画面である。
【００３２】
３０１〜３０９は、図２のビデオディレクトリ下の動画ファイル２０１〜２０９にそれぞれ対応する代表画像であり、サムネイルディレクトリの下の静止画ファイル２１１〜２１９を復号してメニュー画面に配置した静止画像である。この例では、第１のメニュー画像生成手段１０６は表示手段１０５に表示するためのメニュー画面として、一度に４つの代表画像を表示するメニュー画面を生成している。３００は対応する動画ファイルが存在しないダミーの代表画像である。
【００３３】
３１０は現在選択されている代表画像を提示するためのカーソルであり、ユーザーが機器に具備されるカーソル移動ボタンを操作することにより再生したい動画の代表画像を選択する。表示手段１０５にメニュー画面３１３が表示されていて、かつカーソル３１０が代表画像３０１を選択している状態でユーザーが決定ボタンを押せば、それに対応する動画ファイルＡＢＣＤ００１．ｍｐｇが再生される。また、再生したい動画ファイルの代表画像がメニュー画面３１３に存在しない場合は、ユーザーが機器に具備されるカーソル移動ボタンを操作してカーソルを”次へ”ボタン３１２の位置へ移動して選択することにより、表示手段１０５に表示されるメニュー画面が３１４に切り替わる。さらにメニュー画面３１４に再生したい動画ファイルの代表画像が存在しない場合は同様の操作によりメニュー画面３１５を表示する。以上の例のように、４つの代表画像を表示するメニュー画面で９つの動画ファイルの代表画像すべてを確認するためには、３枚のメニュー画面を見る必要がある。当然ながら光ディスクに記録されているファイルの数が多くなればなるほど確認しなくてはいけないメニュー画面の数が増えるため、再生したい動画ファイルの代表画像を探す手間が増えることになる。なお、カーソル移動ボタン、決定ボタンなどの操作は、例えば操作部３１８において行なわれる。
【００３４】
ここで、メニュー画面に一度に表示する代表画像の数を増やせば、ファイル数に対するメニュー画面の数を減らすことはできるが、機器に具備される小さな表示手段であまり多くの代表画像を一度に表示すると、一つ一つの代表画像サイズが小さくなりすぎて逆に視認性が悪くなってしまう。
【００３５】
次に、光ディスク１００にファイナライズ処理を施し、タイトルメニューを作成して記録する際の動作を図１、図２および図４を使用して説明する。
【００３６】
図２の記録状態にある光ディスク１００が装着されているデータ記録再生装置１０１に対してファイナライズ指示を行うと、データ構造判別手段１０７は記録再生処理手段１０４を介して光ディスク１００から必要な情報を読みだし、光ディスク１００上に記録されているデータの構造を解析する。第２のメニュー画面生成手段１０８はデータ構造判別手段１０７の解析結果に基づいてタイトルメニューとして表示すべき代表画像の数を判別すると共に、タイトルメニューの表示のために必要な代表画像ファイルを判別する。そして、この光ディスクを再生するための再生装置が対応する形式に基づくタイトルメニュープログラムを作成し、記録再生処理手段１０４を介して光ディスク１００に記録する。その際、第２のメニュー画面生成手段１０８はタイトルメニューのメニュー画面に表示する代表画像の数を、第１のメニュー画面生成手段１０６が生成する機器メニューに表示する代表画像数より多く設定する。図４は図２の記録状態の光ディスクに対してファイナライズを施した後の光ディスク１００の記録状態を示しており、図２のデータツリーに加えてルートディレクトリの直下にタイトルメニュープログラム（ＡＢＤＣ０００．ｍｎｕ）４０１が記録されている。
【００３７】
なお、タイトルメニュープログラムとは所定の規格に準拠して記述されたプログラムであり、第２のメニュー画面生成手段１０８で生成したメニュー画面を再生するための情報が格納されている。該当する規格に対応するデータ再生装置であれば、第２のメニュー画面生成手段１０８で生成したメニュー画面を再生することが可能である。
【００３８】
次に第２のメニュー画面生成手段１０８によって作成されて光ディスク１００に記録されたタイトルメニュープログラム形式に対応する光ディスク再生装置でタイトルメニューを再生して表示する動作について図１、図２、図４および図５を使用して説明する。
【００３９】
図５において、光ディスク１００は図４に記載したデータが記録された光ディスクであり、５１５は第２のメニュー画面生成手段１０８によって作成されて光ディスク１００に記録されたタイトルメニュープログラム形式に対応する光ディスク再生装置である。光ディスク再生装置５１５は映像を表示するためのモニタ５１６（例えばプラズマテレビ）と接続ケーブル５１７を介して接続されている。光ディスク再生装置５１５に光ディスク１００が挿入されると、光ディスク再生装置５１５では光ディスク１００上のルートディレクトリ上のタイトルメニュープログラム（ＡＢＤＣ０００．ｍｎｕ）４０１を再生し、プログラムの記述にしたがってタイトルメニューを作成してモニタ５１６に出力する。
【００４０】
図５に示す破線内のメニュー画面５１３および５１４はモニタ５１６に表示されたメニュー画面の概念図であり、第２のメニュー画面生成手段１０８によって作成されて光ディスク１００に記録されたタイトルメニュープログラムを光ディスク再生装置５１５が再生してモニタ５１６に出力することによって表示されている。
【００４１】
５０１〜５０９は、図２のビデオディレクトリ（ｖｉｄｅｏ）下の動画ファイル２０１〜２０９にそれぞれ対応する代表画像であり、サムネイルディレクトリ（ｔｈｕｍｂ）の下の静止画ファイル２１１〜２１９を復号して一覧表示するためのメニュー画面に配置した静止画像である。この例では、第２のメニュー画像生成手段１０８はタイトルメニュー用のメニュー画面として、一度に６つの代表画像を表示するメニュー画面を生成している。ここで、５００は対応する動画ファイルが存在しないダミーの代表画像である。
【００４２】
５１０は現在選択されている代表画像を提示するためのカーソルであり、ユーザーが光ディスク再生装置５１５に具備されるカーソル移動ボタン（図示しないが、リモコンなどの操作部）を操作することにより再生したい動画の代表画像を選択する。モニタ５１６にメニュー画面５１３が表示されていて、かつカーソル５１０が代表画像５０１を選択している状態でユーザーが決定ボタンを押せば、それに対応する動画ファイルＡＢＣＤ００１．ｍｐｇが再生される。また、再生したい動画ファイルの代表画像がメニュー画面５１３に存在しない場合は、ユーザーが機器に具備されるカーソル移動ボタンを操作することにより”次へボタン”５１２へカーソルを移動して選択することにより、モニタ５１６に表示されるメニュー画面が５１４に切り替わる。
【００４３】
図５に示すタイトルメニューでは６つの代表画像を表示するため、メニュー画面で９つの動画ファイルの代表画像すべてを確認するためには２枚のメニュー画面を見れば良い。そのため、機器メニューと比較して再生したい動画ファイルの代表画像を探す手間が減ることになる。また図５の説明のように多くの場合はモニタ５１６のような（データ記録再生装置１０１に具備された表示手段１０５よりも）大きな画面で見るため、一度に表示する代表画像数を多くしてもそれほど視認性は低下しない。
【００４４】
以上のように本発明によれば、機器に具備された表示手段の表示に最適化した機器メニュー画面と、記録媒体に記録するタイトルメニューとで、一度に表示する代表画像の数を変えることにより、それぞれの表示サイズに合わせた最適なメニュー画面を作成するデータ記録再生装置を提供することが可能である。
【００４５】
なお、図２や図４で説明した光ディスク上のデータ構造はあくまで一例であり、本発明はこれに限定するものではない。記録媒体にコンテンツの代表画像を一覧表示するためのタイトルメニュープログラムを記録することが規定されている規格に準拠するデータ記録再生装置であれば、本発明は適用可能である。例えばＤＶＤ−Ｖｉｄｅｏ規格に準拠して動画ストリームを記録しファイナライズしてメニュー作成するデータ記録再生装置にも本発明は適用可能である。光ディスクがＤＶＤ−Ｒでありデータ構造がＤＶＤ−Ｖｉｄｅｏ規格に準拠してファイナライズが完了していれば、本発明のデータ記録再生装置で記録した光ディスクはＤＶＤプレーヤーで再生可能である。
【００４６】
なお、タイトルメニュープログラムに格納される情報としては、規格ごとにさまざまな規定がある。例えば、動画ファイルと代表画像ファイルを対応付ける情報とメニュー画面のレイアウト情報が格納されている場合や、それらに加えて代表画像そのものを格納している場合もあるし、代表画像の個々の画像データではなく、代表画像を複数個配置したメニュー画面そのものの画像データを格納している場合もある。本発明はそれらタイトルメニュープログラムに格納される情報を限定するものではない。記録媒体上の動画ファイルの代表画像を一覧表示するためのタイトルメニュープログラムを記録することが規定されている規格に準拠するデータ記録再生装置であれば、本発明は適用可能である。
【００４７】
また、タイトルメニュープログラムに代表画像や代表画像を複数個配置したメニュー画面の画像データが格納されている場合は、図２のサムネイルディレクトリ（ｔｈｕｍｂ）下の代表画像用の静止画ファイル２１１〜２１９は必ずしも記録されている必要はない。
【００４８】
なお、実施の形態では、代表画像を動画ファイル一つ一つに設定してメニュー画面に表示する場合について説明したが本発明はこれに限定するものではない。代表画像を再生経路情報やプレイリスト情報、マーカー情報に対して設定しメニュー画面に表示する場合についても本発明は適用可能である。ここで再生経路情報やプレイリスト情報とは、一つまたは複数の動画ファイルの一部または全部の再生区間を指定する情報である。また、マーカー情報とは動画ファイルの特定箇所を指定する情報である。区間等の指定方法の一例としては、ファイル先頭からの再生経過時間や、ＭＰＥＧで規定されているＰＴＳ（プレゼンテーション・タイム・スタンプ）等が用いられる。
【００４９】
なお、実施の形態では、メニュー画面として動画ファイルの代表画像を一覧表示する例について説明したが、本発明はこれに限定するものではない。光ディスク上に静止画ファイルや音声ファイルが記録されている場合で、それらのＡＶファイルの代表画像を一覧表示するためのタイトルメニュープログラムを記録することが規定されている規格に準拠するデータ記録再生装置であれば、本発明は適用可能である。
【００５０】
なお、実施の形態では、第１のメニュー画面生成手段は４つの代表画像を一度に表示する機器メニュー画面を生成し、第２のメニュー画面生成手段は６つの代表画像を一度に表示するタイトルメニュー画面を生成する例について説明したが本発明はその代表画像の数を上記に限定するものではない。本発明は、機器に具備された表示手段での表示に最適な数の代表画像数を設定した機器メニュー画面と、機器の表示手段よりも大きなモニタでの表示に最適な数の代表画像数を設定したタイトルメニュー画面を作成できるデータ記録再生装置を提供することを目的としており、代表画像の数に限定はない。従って、例えば、第１のメニュー画面生成手段による代表画像数をｎ個（ｎ＞１）、第２のメニュー画面生成手段による代表画像数をｍ個（ｍ＞１）とし、ｍ＞ｎの関係としえもよい。
【００５１】
多くの場合機器メニューよりもタイトルメニューの代表画像数を多く設定したほうが最適設定可能な場合が多いが、図６に示す例のように代表画像の数は同じでも配置方法を変えることによりメニュー画面の視認性が向上する場合もある。
【００５２】
図６は機器の表示手段が縦長の場合の機器メニュー画面とタイトルメニュー画面の構成例を示している。機器に具備された表示手段の形状が縦長なためその制約から機器メニューの代表画像の並びが６０１に示すように縦×横＝３個×２個並んでいて、タイトルメニュー画面の代表画像の並びが６０２に示すように縦×横＝２個×３個並んでいる。このようにそれぞれの表示環境の制約にあわせて異なる構成のメニュー画面を作成する機器にも本発明は適用可能である。
【００５３】
なお、機器メニュー画面およびタイトルメニュー画面に配置する代表画像の数は、あらかじめ機器固有の設定をしていても良いし、ユーザー設定により両方もしくはどちらか一方を変更可能としても良い。変更可能としておけば、ユーザーの視力や使用形態に合わせて設定変更できるので利便性が向上する。また、タイトルメニュー画面は、データ再生装置に接続されたモニタのサイズや解像度によって最適な代表画像数が大きく変わってくるため、使用環境あわせて変更可能とすることで利便性が大きく向上する。
【００５４】
また、一方のメニュー画面の設定に連動して他方のメニュー画面の設定が自動的に反映されればユーザーが個別に設定するわずらわしさを排除することが可能になる。例えば、ユーザーが機器メニューで表示する代表画像の数を４個から６個に変更したら、ユーザーは代表画像を小さなサイズで表示することが好みであると判断して、タイトルメニューの代表画像の数も自動的に増やすというようなデータ記録再生装置を実現することが可能である。
【００５５】
なお、実施の形態において、記憶媒体は光ディスクであるものとしたが、本発明はこれに限定するものではなく、例えばメモリカード、フラッシュメモリ、ＦｅＲＡＭ、ＭＲＡＭ等の半導体メモリであっても良い。また、光ディスクはＤＶＤ−ＲＡＭ、ＭＯ、ＤＶＤ−Ｒ、ＤＶＤ−ＲＷ、ＤＶＤ＋ＲＷ、ＤＶＤ＋Ｒ、ＣＤ−Ｒ、ＣＤ−ＲＷ、ＢＤ−ＲＥ、ＢＤ−Ｒ、ＨＤ−ＤＶＤ等の光ディスクやハードディスクであっても良い。
【産業上の利用可能性】
【００５６】
本発明にかかるＡＶデータ記録再生装置は、当該装置に備える表示手段の表示性能に最適化した第１のメニュー画面と、記録媒体が再生される一般的な機器に最適化した第２のメニュー画面とを作成することができるので、カムコーダ、モバイル機器等の映像または音声を記録再生する機器等として有用である。
【図面の簡単な説明】
【００５７】
【図１】本発明の実施の形態によるＡＶデータ記録再生装置の構成例を示すブロック図
【図２】同ＡＶデータ記録再生装置を使用して光ディスクに記録したデータ構造を示す概念図
【図３】同ＡＶデータ記録再生装置の機器メニューのメニュー画面の概念図
【図４】同ＡＶデータ記録再生装置を使用して光ディスクに記録したデータ構造を示す概念図
【図５】本発明の実施の形態によるタイトルメニューのメニュー画面の概念図
【図６】本発明の他の実施の形態による機器メニューとタイトルメニューの構成を示す概念図
【図７】従来のＡＶデータ記録再生装置で作成した機器メニューとタイトルメニューの概念図
【符号の説明】
【００５８】
１００    光ディスク
１０１    データ記録再生装置
１０２    撮像手段
１０３    データ処理手段
１０４    記録再生処理手段
１０５    表示手段
１０６    第１のメニュー画面生成手段
１０７    データ構造判別手段
１０８    第２のメニュー画面生成手段
【図１】
2007265558.tif 000003
【図２】
2007265558.tif 000004
【図３】
2007265558.tif 000005
【図４】
2007265558.tif 000006
【図５】
2007265558.tif 000007
【図６】
2007265558.tif 000008
【図７】
2007265558.tif 000009